(57)【特許請求の範囲】
【請求項１】
方形状の底板と、上記底板の四辺にそれぞれ起倒可能に枢着される側壁とを具備する折り畳み式コンテナであって、
上記側壁は、上記底板の辺部に立設されると共に、その上端面に断面略円弧状の枢着用凹条を有する下枠と、下端面に上記枢着用凹条内に回転自在に嵌合する断面略中空円状又は断面略中空円弧状の枢着用凸条を有する回転枠とを具備し、
上記底板の角部に立設されるコーナー部材を貫通する枢着軸を、上記枢着用凸条の両端側の中空部内に嵌挿して枢着部を形成してなり、
上記下枠の上端面の外側端部に第１の平坦面を設けると共に、内側端部に第１の平坦面より低い第２の平坦面を設け、上記第１の平坦面と第２の平坦面を結ぶ傾斜面に上記枢着用凹条を形成し、
上記回転枠の下端面には、側壁の起立状態において上記第１の平坦面に当接する支持平坦面を形成してなる、ことを特徴とする折り畳み式コンテナ。
【請求項２】
請求項１記載の折り畳み式コンテナにおいて、
上記下枠の第１の平坦面の外側端に、係合段部を形成し、回転枠の第１の支持平坦面の外側端には、上記係合段部に係合する垂下片を形成してなることを特徴とする折り畳み式コンテナ。
【請求項３】
請求項１記載の折り畳み式コンテナにおいて、
上記側壁は、回転枠の両端に立設する一対の縦枠を更に具備し、
隣接する一方の側壁の縦枠の側方先端に外側に向かって隆起する第１の係合部と、溝状の第１の係合受け部を連設し、他方の側壁の縦枠の側方先端には、上記第１の係合部に係脱可能に係合する第２の係合受け部と、上記第１の係合受け部に係脱可能に係合する第２の係合部を形成してなり、
上記第１及び第２の係合部に、先端に向かって狭小となるテーパ面を形成し、第１及び第２の係合受け部には、先端に向かって拡開するテーパ面を形成してなる、ことを特徴とする折り畳み式コンテナ。
【発明の詳細な説明】
【０００１】
【発明の属する技術分野】
この発明は折り畳み式コンテナに関するもので、更に詳細には、不使用時に、側壁を全て内側に折り畳んで、運搬又は保管時に積み重ねることができ、スペースの有効利用が図れるようにした折り畳み式コンテナに関するものである。
【０００２】
【従来の技術】
従来、方形状の底板と、この底板の四辺にそれぞれ起倒可能に枢着される側壁とを具備する折り畳み式コンテナが知られている（特開平５−３２２５４号公報参照）。この特開平５−３２２５４号公報に記載のコンテナは、底板の各辺に起立する起立壁の各上辺に、外側方向に回動させないヒンジを介して側壁を取り付け、また、いずれか相対向する二つの側壁における上辺の両隅角部付近に、側壁を起立した状態で隣接する他側の側壁における上辺端部を嵌包着可能な角結束具の一端部を垂直方向の回動ができるように枢着している。
【０００３】
また、別の折り畳み式コンテナとして、下部にフォーク挿入スペースを設けた底板の四辺に、それぞれ枢支ピンをもって起倒可能に枢着される側壁を設け、使用時に、各側壁を起立させると共に、側壁相互間に係止具を係合させて、側壁の起立状態を保持して荷物を収納可能なボックス部を形成し、フォーク挿入スペース内にフォークリフトのフォークを挿入して荷物の運搬に供するようにした構造のコンテナも知られている（実開平５−４２１３６号公報参照）。
【０００４】
【発明が解決しようとする課題】
しかしながら、前者すなわち特開平５−３２２５４号公報に記載のコンテナにおいては、側壁のヒンジ部に、外側方向に回動させないヒンジ部材を用いて側壁を取り付ける構造であるため、構成部材が多くなると共に、側壁の組立に手間を要するという問題があった。また、使用時に側壁が不用意に倒れないようにするために、二つの側壁の上辺に角結束具が取り付けられているが、このような構造では、組立の際や折り畳みの際に、いちいち角結束具を着脱作業を行わなければならないため、組立及び折り畳み作業が面倒であるという問題もあった。
【０００５】
これに対し、後者すなわち実開平５−４２１３６号公報に記載のコンテナにおいては、枢着ピンをもって側壁を枢着する構造であるため、構成部材を少なくすることができるが、単に枢着ピンをもって側壁を枢着する構造では、強度をもたせるために、枢着ピン及びピンの軸受け部の径を太くしたり枢着ピンを貫通状態にもいけなければならない。したがって、側壁の枢着部の構造が複雑になると共に、枢着部の占める容積や重量が大きくなって、コンテナの有効スペースが小さくなると共に、コンテナの重量が嵩む等の問題があった。
【０００６】
また、この種のコンテナにおいては、繰り返し組立及び折り畳みを行うために、側壁の起倒動作が円滑に行えるようにする必要があり、しかも、組立状態では側壁が不用意に転倒しないように工夫する必要がある。
【０００７】
更には、使用時に、コンテナ内に雨水等が侵入しないようにすることが好ましい。
【０００８】
この発明は上記事情に鑑みなされたもので、構成部材の削減が図れ、組立及び折り畳みを容易に行えるようにし、また、雨仕舞を良好にした折り畳み式コンテナを提供することを目的とするものである。
【０００９】
【課題を解決するための手段】
上記課題を解決するために、請求項１記載の発明は、方形状の底板と、上記底板の四辺にそれぞれ起倒可能に枢着される側壁とを具備する折り畳み式コンテナであって、  上記側壁は、上記底板の辺部に立設されると共に、その上端面に断面略円弧状の枢着用凹条を有する下枠と、下端面に上記枢着用凹条内に回転自在に嵌合する断面略中空円状又は断面略中空円弧状の枢着用凸条を有する回転枠とを具備し、  上記底板の角部に立設されるコーナー部材を貫通する枢着軸を、上記枢着用凸条の両端側の中空部内に嵌挿して枢着部を形成してなり、  上記下枠の上端面の外側端部に第１の平坦面を設けると共に、内側端部に第１の平坦面より低い第２の平坦面を設け、上記第１の平坦面と第２の平坦面を結ぶ傾斜面に上記枢着用凹条を形成し、  上記回転枠の下端面には、側壁の起立状態において上記第１の平坦面に当接する支持平坦面を形成してなる、ことを特徴とする。この場合、下枠の第１の平坦面の外側端に、係合段部を形成し、回転枠の第１の支持平坦面の外側端には、係合段部に係合する垂下片を形成する方が好ましい（請求項２）。
【００１０】
このように構成することにより、下枠に設けた枢着用凹条と、回転枠に設けた枢着用凸条とを回転自在に嵌合するので、側壁の枢着部に強度をもたせることができ、側壁の起倒を円滑に行うことができる。また、枢着軸を、枢着用凸条の両端側の中空部内に嵌挿して枢着部を形成するので、構成部材を少なくすることができると共に、組立を容易にすることができる。
【００１１】
また、使用時には、下枠の第１の平坦面に回転枠の支持平坦面が当接するので、側壁の外方への転倒を阻止することができる。また、第１の平坦面と第２の平坦面を結ぶ傾斜面に枢着用凹条を形成するので、コンテナ内に雨水等が侵入するのを阻止することができる。この場合、下枠の第１の平坦面の外側端に、係合段部を形成し、回転枠の支持平坦面の外側端には、係合段部に係合する垂下片を形成することにより、側壁の枢着用凹条と枢着用凸条とが外れるのを確実に防止することができると共に、コンテナ内に雨水等が侵入するのを確実に防止することができる（請求項２）。
【００１２】
請求項３記載の発明は、請求項１記載の折り畳み式コンテナにおいて、  上記側壁は、回転枠の両端に立設する一対の縦枠を更に具備し、  隣接する一方の側壁の縦枠の側方先端に外側に向かって隆起する第１の係合部と、溝状の第１の係合受け部を連設し、他方の側壁の縦枠の側方先端には、上記第１の係合部に係脱可能に係合する第２の係合受け部と、上記第１の係合受け部に係脱可能に係合する第２の係合部を形成してなり、  上記第１及び第２の係合部に、先端に向かって狭小となるテーパ面を形成し、第１及び第２の係合受け部には、先端に向かって拡開するテーパ面を形成してなる、ことを特徴とする。
【００１３】
このように構成することにより、隣接する側壁同士の第１の係合部と第１の係合受け部とを係合すると共に、第２の係合部と第２の係合受け部とを係合するので、使用時における一方の側壁によって他方の側壁の内側及び外側への転倒を防止することができ、また、他方の側壁によって一方の側壁の外側への転倒を防止することができる。この場合、第１及び第２の係合部に、先端に向かって狭小となるテーパ面を形成し、第１及び第２の係合受け部には、先端に向かって拡開するテーパ面を形成することにより、第１及び第２の係合部と第１及び第２の係合受け部との係脱を容易にすることができる。したがって、側壁の起倒すなわちコンテナの組立及び折り畳みを容易にすることができる。
【００１４】
【発明の実施の形態】
以下にこの発明の折り畳み式コンテナの実施形態について、添付図面を参照して詳細に説明する。
【００１５】
図１は、この発明の折り畳み式コンテナ（以下に単にコンテナという）の一例を示す斜視図、図２は、上記コンテナの使用状態を示す側面図、図３は、上記コンテナの折り畳み状態を示す側面図である。
【００１６】
上記コンテナは、下部にフォークリフトのフォークの挿入用スペース１を有するパレット２を具備する方形状の底板３と、この底板３の四辺にそれぞれ起倒可能に枢着される側壁１１，１２，１３，１４と、起立状態の側壁１１，１２，１３，１４の開口部１５を閉塞する蓋体４とで主要部が構成されている。なお、底板３の一方の対向する辺に位置する側壁１１，１２は、係止具５によって使用時に起立状態が維持されようになっている。
【００１７】
上記側壁１１，１２，１３，１４は、底板３の辺部に立設されると共に、その上端面に断面略円弧状の枢着用凹条２１を有する下枠２０，２０Ａと、下端面に枢着用凹条２１内に回転自在に嵌合する例えば断面略中空円状の枢着用凸条３１を有する回転枠３０とを具備しており、底板３の角部に立設されるアングル状のコーナー部材６を貫通する枢着軸６０を、枢着用凸条３１の両端側の中空部３２内に嵌挿して枢着部６１を形成している（図４、図５及び図６参照）。この場合、底板３の一方の対向する二辺（図２における紙面側の二辺）に枢着される側壁１１，１２の枢着部６１は、他方の対向する二辺（図２における左右側の二辺）に枢着される側壁１３，１４の枢着部６１より低い位置に設けられている。このように底板３の一方の対向する二辺と、他方の対向する二辺に枢着される側壁１１，１２，１３，１４の枢着部６１の高さを変えた理由は、側壁１１，１２，１３，１４を折り畳んだ状態の高さを可及的に低くして容積を小さくするようにしたためである。
【００１８】
また、側壁１１，１２，１３，１４は、上記回転枠３０の両側端部上面に立設する一対の縦枠４０，４０Ａと、両縦枠４０，４０Ａの上端部間に横設される上枠５０とで矩形状枠が構成されており、回転枠３０、縦枠４０，４０Ａ及び上枠５０に設けられた取付段部７に側板８が、例えば溶接あるいはリベットやねじ等の固定手段（図示せず）によって取り付けられている。なお、両縦枠４０，４０Ａの中間部には、側板８の外面に当接するように補強桁材９が横架されている。この場合、補強桁材９は、仕切壁によって３つに区画された矩形中空部を有するアルミニウム製の矩形状の中空押出形材にて形成されている。
【００１９】
上記下枠２０，２０Ａ、回転枠３０、縦枠４０，４０Ａ及び上枠５０は、いずれもアルミニウム製の中空押出形材にて形成されている。この場合、少なくとも下枠２０，２０Ａと回転枠３０はアルマイト処理を施して耐摩耗性をもたせる方が望ましい。
【００２０】
また、下枠２０，２０Ａは、図４，図６及び図７に示すように、上端面の外側端部に第１の平坦面２２が設けられると共に、内側端部に第１の平坦面２２より低い第２の平坦面２３が設けられ、第１の平坦面２２と第２の平坦面２３を結ぶ傾斜面に枢着用凹条２１が形成されている。更に、第１の平坦面２２の外側端に、係合段部２４が形成されている。なお、一方の下枠２０は、略矩形状の中空基部２５を具備し、この中空基部２５の下端側方に水平取付片２６が延在している（図６及び図７参照）。また、他方の下枠２０Ａは、仕切壁２７によって区画される２つの中空部２８ａ，２８ｂを有する上記中空基部２５より高い略矩形状の中空基部２９を具備し、この中空基部２９の下端側方に水平取付片２６が延在している（図４参照）。
【００２１】
一方、上記回転枠３０の下端面には、側壁１１，１２，１３，１４の起立状態において上記第１の平坦面２２に当接する支持平坦面３３が形成されている。更に、支持平坦面３３の外側端には、上記係合段部２４に係合する垂下片３５が形成されている（図４、図６及び図７参照）。
【００２２】
上記のように形成される下枠２０，２０Ａの枢着用凹条２１に、回転枠３０の枢着用凸条３１を摺動及び回転自在に嵌合した状態で、底板３の角部に例えば溶接あるいはリベットやねじ等の固定手段（図示せず）によって立設固定されるコーナー部材６を貫通する枢着軸６０を、枢着用凸条３１の両端側の中空部３２内に嵌挿することで枢着部６１が形成されている。この場合、枢着軸６０は、中空部３２内に挿入される軸基部６０ａの一端部に軸基部６０ａより大径のねじ部６０ｂを介して頭部６０ｃが形成されている。一方、コーナー部材６には、透孔６ａが穿設されると共に、透孔６ａに連通するねじ孔を有するナット６ｂが溶接等によって固着されている。そして、枢着軸６０の軸基部６０ａを透孔６ａ及びナット６ｂのねじ孔内を貫通させると共に、ねじ部６０ｂをナット６ｂのねじ孔に螺合して枢着軸６０が取り付けられている（図５参照）。この場合、上述したように、下枠２０，２０Ａと回転枠３０をアルマイト処理しておけば、側壁１１，１２，１３，１４の起倒による枢着用凹条２１と枢着用凸条３１の摩耗を抑制することができる。
【００２３】
このように形成することにより、使用時には、下枠２０，２０Ａの第１の平坦面２２に回転枠３０の支持平坦面３３が当接するので、側壁１１，１２，１３，１４の外方への転倒を阻止することができる。また、第１の平坦面２２と第２の平坦面２３を結ぶ傾斜面に枢着用凹条２１を形成するので、コンテナ内に雨水等が侵入するのを阻止することができる。更に、下枠２０，２０Ａの第１の平坦面２２の外側端に、係合段部２４を形成し、回転枠３０の第１の支持平坦面３３の外側端には、係合段部２４に係合する垂下片３５を形成することにより、側壁１１，１２，１３，１４の枢着用凹条２１と枢着用凸条３１とが外れるのを確実に防止することができると共に、コンテナ内に雨水等が侵入するのを確実に防止することができる。
【００２４】
なお、上記説明では、下枠２０，２０Ａの第１の平坦面２２の外側端に、係合段部２４を形成し、回転枠３０の支持平坦面３３の外側端には、係合段部２４に係合する垂下片３５を形成する場合について説明したが、図９に示すように、係合段部２４と垂下片３５を設けない構造としてもよい。このような構造においても、上述したように、使用時には、下枠２０，２０Ａの第１の平坦面２２に回転枠３０の支持平坦面３３が当接するので、側壁１１，１２，１３，１４の外方への転倒を阻止することができる。また、第１の平坦面２２と第２の平坦面２３を結ぶ傾斜面に枢着用凹条２１を形成するので、コンテナ内に雨水等が侵入するのを阻止することができる。
【００２５】
また、上記説明では、回転枠３０の枢着用凸条３１が断面略中空円状に形成される場合について説明したが、枢着用凸条３１を、図１０に示すように、円周上の一部を切欠いた断面略中空円弧状に形成してもよい。
【００２６】
上記上枠５０は、図８に示すように、下端部に側板８の取付段部７を有する垂直片５１と、この垂直片５１の上端から外側に向かって水平に延在する水平片５２と、この水平片５２の先端から下方に垂下すると共に、下端部に円弧状の内向き膨隆部５３ａを有する垂下片５３とからなる手掛け部５４と、垂直片５１における手掛け部５４の下方近傍側から外側に向かって下り勾配の傾斜片５５と、この傾斜片５５の先端から垂直片５１と平行に延在する外側垂直片５６と、この外側垂直片５６の下端と垂直片５１の下端を連結する連結片５７とを具備しており、垂直片５１と、傾斜片５５と、外側垂直片５６及び連結片５７とで中空部５８が形成されている。このように、上枠５０に円弧状の内向き膨隆部５３ａを有する手掛け部５４を形成することにより、側壁１１，１２，１３，１４の起立及び折り畳み操作を安全かつ容易にすることができる。
【００２７】
また、上記縦枠４０，４０Ａのうちの一方の縦枠４０（以下に第１の縦枠４０という）は、低い枢着部６１を有する側壁１１，１２の両側に配設されており、その形態は、図１１、図１２及び図１３（ａ）に示すように、内側の一側端部に側板８の取付段部７を有する中空矩形状基部４１と、この中空矩形状基部４１の内側片４２から外方に向かって延在する突出片４３とを具備し、突出片４３には、側壁１１，１２の外方側に向かって隆起する第１の係合部４４と、溝状の第１の係合受け部４５が連設されている。また、他方の縦枠４０Ａ（以下に第２の縦枠４０Ａという）は、高い枢着部６１を有する側壁１３，１４の両側に配設されており、その形態は、図１１、図１２及び図１３（ｂ）に示すように、内側の一側端部に側板８の取付段部７を有する中空Ｌ形状基部４６と、この中空Ｌ形状基部４６の側方先端の内側面には、上記第１の係合部４４に係脱可能に係合する第２の係合受け部４７と、上記第１の係合受け部４５に係脱可能に係合する第２の係合部４８が形成されている。この場合、第１及び第２の係合部４４，４８に、先端に向かって狭小となるテーパ面４９が形成され、また、第１及び第２の係合受け部４５，４７には、先端に向かって拡開するテーパ面４９が形成されている。
【００２８】
このように、第１の縦枠４０に第１の係合部４４と第１の係合受け部４５とを連設し、第２の縦枠４０Ａには、第１の係合部４４及び第１の係合受け部４５とそれぞれ係脱可能に係合する第２の係合受け部４７と第２の係合部４８を形成することにより、隣接する側壁１１，１２，１３，１４同士の第１の係合部４４と第１の係合受け部４５とを係合すると共に、第２の係合部４８と第２の係合受け部４７とを係合するので、使用時における一方の側壁１１，１２によって他方の側壁１３，１４の内側及び外側への転倒を防止することができ、また、他方の側壁１３，１４によって一方の側壁１１，１２の外側への転倒を防止することができる。この場合、第１及び第２の係合部４４，４８に、先端に向かって狭小となるテーパ面４９を形成し、第１及び第２の係合受け部４５，４７には、先端に向かって拡開するテーパ面４９を形成することにより、第１及び第２の係合部４４，４８と第１及び第２の係合受け部４５，４７との係脱を容易にすることができる。したがって、側壁１１，１２，１３，１４の起倒すなわちコンテナの組立及び折り畳みを容易にすることができる。
【００２９】
なお、上記係止具５は、図１及び図１４に示すように、側壁１１，１２（図面では、側壁１１の場合を示す）の上枠５０と第１の縦枠との隅部に装着されるボックス状のケース７０の両側片７１，７２に穿設された貫通孔７３と、第１の縦枠４０に穿設された貫通孔７４を貫通すると共に、第２の縦枠４０Ａに穿設されたストッパ孔７５に嵌合する係止ピン７６と、この係止ピン７６の一端部に折曲する摘み部７７とを具備している。また、ケース７０内における係止ピン７６の先端側部位に貫通するスプリングピン７８とケース７０の一方の側片７１との間にばね部材例えばコイルスプリング７９が縮設されており、このコイルスプリング７９の弾発力によって常時係止ピン７６が突出方向に押圧されてストッパ孔７５に係合し得るようになっている。したがって、組立時にはコイルスプリング７９の弾発力に抗して係止ピン７６を後退させて、側壁１１，１２，１３，１４を起立した後、コイルスプリング７９の弾発力によって係止ピン７６がストッパ孔７５に係合（嵌合）することで、側壁１１，１２，１３，１４の起立状態が保持される。
【００３０】
なお、上記蓋体４は、方形状基部４ａと、この方形状基部４ａの四辺から下方にそれぞれ折曲される折曲片４ｂとからなる箱状に形成されている。このように形成される蓋体４は、使用時には、起立した側壁１１，１２，１３，１４の上端部を被覆するようにして開口部１５を閉塞し（図１及び図２参照）、また、折り畳み時には、底板３の角部に立設固定されたコーナー部材６の上端部を被覆するように被着されるようになっている（図３参照）。
【００３１】
上記のように構成されるこの発明の折り畳み式コンテナを組み立てるには、図３に示す折り畳み状態において、まず、蓋体４を取り外す。次に、最上部に位置する側壁１４（図３における右側の側壁）を起立させると共に、２番目の上部に位置する側壁１３（図３における左側の側壁）を起立させる。次に、３番目の上部に位置する側壁１２（図３における紙面側の一方の側壁）を起立させると共に、最下部に位置する側壁１１（図３における紙面側の他方の側壁）を起立させて、第１の縦枠４０に設けられた第１の係合部４４及び第１の係合受け部４５を、隣接する側壁１３，１４の第２の縦枠４０Ａに設けられた第２の係合受け部４７及び第２の係合部４８に係合させる（図１４参照）。その後、係止具５の係止ピン７６を、第２の縦枠４０Ａに穿設されたストッパ孔７５に係合（嵌合）させて側壁１１，１２，１３，１４を起立固定して組立が完了する。
【００３２】
このようにして組み立てられたコンテナ内に荷物を収容した後、側壁１１，１２，１３，１４の上端部に蓋体４を被着して開口部１５を閉塞する。そして、フォークリフトのフォークをフォーク挿入用スペース１内に挿入して、コンテナを所定の場所に運搬する。
【００３３】
また、荷物の搬送が終わった空のコンテナを折り畳む場合は、上記組立手順と逆の操作によって側壁１１，１２，１３，１４を折り畳めばよい。すなわち、まず、蓋体４を取り外す。次に、係止具５の係止状態を解除した後、最下部に位置する側壁１１から順に最上部の側壁１４を折り畳み、最後に、コーナー部材６の上端部に蓋体４を被着すればよい。
【００３４】
【発明の効果】
以上説明したように、この発明によれば、上記のように構成されているので、以下のような優れた効果が得られる。
【００３５】
（１）請求項１記載の発明によれば、下枠に設けた枢着用凹条と、回転枠に設けた枢着用凸条とを回転自在に嵌合するので、側壁の枢着部に強度をもたせることができ、側壁の起倒を円滑に行うことができる。また、枢着軸を、枢着用凸条の両端側の中空部内に嵌挿して枢着部を形成するので、構成部材を少なくすることができると共に、組立を容易にすることができる。
【００３６】
（２）また、使用時には、下枠の第１の平坦面に回転枠の支持平坦面が当接するので、側壁の外方への転倒を阻止することができる。また、第１の平坦面と第２の平坦面を結ぶ傾斜面に枢着用凹条を形成するので、コンテナ内に雨水等が侵入するのを阻止することができる。
【００３７】
（３）請求項２記載の発明によれば、下枠の第１の平坦面の外側端に、係合段部を形成し、回転枠の支持平坦面の外側端には、係合段部に係合する垂下片を形成するので、上記（２）に加えて側壁の枢着用凹条と枢着用凸条とが外れるのを確実に防止することができると共に、コンテナ内に雨水等が侵入するのを確実に防止することができる。
【００３８】
（４）請求項３記載の発明によれば、隣接する側壁同士の第１の係合部と第１の係合受け部とを係合すると共に、第２の係合部と第２の係合受け部とを係合するので、使用時における一方の側壁によって他方の側壁の内側及び外側への転倒を防止することができ、また、他方の側壁によって一方の側壁の外側への転倒を防止することができる。
【００３９】
（５）また、第１及び第２の係合部に、先端に向かって狭小となるテーパ面を形成し、第１及び第２の係合受け部には、先端に向かって拡開するテーパ面を形成することにより、第１及び第２の係合部と第１及び第２の係合受け部との係脱を容易にすることができる。したがって、上記（４）に加えて側壁の起倒すなわちコンテナの組立及び折畳みを容易にすることができる。
【図面の簡単な説明】
【図１】  この発明の折り畳み式コンテナの使用状態を示す斜視図である。
【図２】  上記コンテナの使用状態の側面図である。
【図３】  上記コンテナの折り畳み状態の側面図である。
【図４】  この発明における側壁の枢着部を示す断面図（ａ）及び（ａ）のＩ部の拡大図（ｂ）である。
【図５】  図４の側面図である。
【図６】  図４のII−II線に沿う断面図である。
【図７】  この発明における下枠と回転枠を示す分解斜視図である。
【図８】  この発明における上枠を示す斜視図である。
【図９】  上記側壁の枢着部の別の形態を示す拡大断面図である。
【図１０】  この発明における枢着用凸条の別の形態を示す斜視図である。
【図１１】  上記側壁の係合部を示す平面図である。
【図１２】  上記側壁の係合前の状態を示す平面図である。
【図１３】  この発明における縦枠を示す斜視図である。
【図１４】  この発明における係止具の係止状態を示す平面図（ａ）及び（ａ）のIII−III線に沿う断面図（ｂ）である。
【符号の説明】
３  底板
６  コーナー部材
７  取付段部
８  側板
１１，１２，１３，１４  側壁
２０，２０Ａ  下枠
２１  枢着用凹条
２２  第１の平坦面
２３  第２の平坦面
２４  係合段部
３０  回転枠
３１  枢着用凸条
３２  中空部
３３  支持平坦面
３５  垂下片
４０  第１の縦枠
４０Ａ  第２の縦枠
４４  第１の係合部
４５  第１の係合受け部
４７  第２の係合受け部
４８  第２の係合部
４９  テーパ面
５０  上枠
６０  枢着軸
６１  枢着部
【図１】
0003698045.tif 000002
【図２】
0003698045.tif 000003
【図３】
0003698045.tif 000004
【図４】
0003698045.tif 000005
【図５】
0003698045.tif 000006
【図６】
0003698045.tif 000007
【図７】
0003698045.tif 000008
【図８】
0003698045.tif 000009
【図９】
0003698045.tif 000010
【図１０】
0003698045.tif 000011
【図１１】
0003698045.tif 000012
【図１２】
0003698045.tif 000013
【図１３】
0003698045.tif 000014
【図１４】
0003698045.tif 000015